【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
分光法を利用した分子アレイによる検体の分析方法であって、基板上にプローブを固定配置した分子アレイに検体を作用させ、プローブの微小スポットを分光法によりスキャンし、プローブと特異的に結合した検体中の分子を光吸収の測定により検出することを特徴とする、検体の分析方法。
【請求項２】
分光法を利用した分子アレイによる検体の分析方法であって、基板上に検体を固定配置した分子アレイにプローブを作用させ、検体の微小スポットを分光法によりスキャンし、プローブと特異的に結合した検体中の分子を光吸収の測定により検出することを特徴とする、検体の分析方法。
【請求項３】
分光法を利用した分子アレイによる検体の分析方法であって、検体とプローブを相互作用させた後に基板上に固定し、検体の微小スポットを分光法によりスキャンし、プローブと特異的に結合した検体中の分子を光吸収の測定により検出することを特徴とする、検体の分析方法。
【請求項４】
プローブ若しくは検体を、リンカーを介して基板上に固定化することを特徴とする請求項１から３のいずれか１項記載の検体の分析方法。
【請求項５】
マスキング剤を基板上に固定化することを特徴とする請求項１から４のいずれか１項記載の検体の分析方法。
【請求項６】
分光法に用いられる光として、赤外光、近赤外光、可視光、紫外光、ラマン散乱光から選択されるいずれか１つを用いることを特徴とする請求項１から５のいずれか１項記載の検体の分析方法。
【請求項７】
分光法として顕微フーリエ変換赤外分光法、光音響分光法、時間分割分光法、二次元分光法、共鳴分光法、空間分解分光法、位相分解分光法、偏光分光法、非線形分光法から選択されるいずれか１つを用いることを特徴とする請求項１から６のいずれか１項記載の検体の分析方法。
【請求項８】
分光法で分子アレイの基板全体をスキャンして得られる光吸収の測定結果を画像化して表示し、プローブと特異的に結合した分子を検出することを特徴とする請求項１から７のいずれか１項記載の検体の分析方法。
【請求項９】
分子アレイが、核酸チップ、核酸マイクロアレイ、タンパク質チップ、糖チップ、細胞チップ、ペプチドチップ、抗体チップ、酵素活性検出チップ、環境ホルモンチップ、遺伝子発現チップ、創薬チップから選択されるいずれか１つである請求項１から８のいずれか１項記載の検体の分析方法。
【請求項１０】
分子アレイの基板上の反射光若しくは基板の透過光を測定することを特徴とする請求項１から９のいずれか１項記載の検体の分析方法。
【請求項１１】
検体中の分子に特異的な波長の光吸収を測定して、プローブと特異的に結合した分子を検出する請求項１から１０のいずれか１項記載の検体の分析方法。
【請求項１２】
検体中の分子の官能基もしくは当該分子にラベルとして導入した官能基に特異的な波長の光吸収を測定して、プローブと特異的に結合した分子を検出する請求項１から１１のいずれか１項記載の検体の分析方法。
【請求項１３】
核酸由来のリン酸エステル基若しくはカルボニル基、ペプチド結合由来のアミド基若しくはカルボニル基、又は水酸基、シアノ基、イソシアネ−ト、チオイソシアネ−トに特異的な波長の光吸収を測定して、プローブと特異的に結合した検体中の核酸、タンパク質またはペプチドを検出する請求項１から１２のいずれか１項記載の検体の分析方法。
【請求項１４】
検体である核酸とDNAプローブを作用させドットブロット法にて分析することを特徴とする請求項１から１３のいずれか１項記載の検体の分析方法。
【請求項１５】
生体物質を、分子アレイの基板上にリンカーを介して固定化することを特徴とする生体物質の分子アレイの基板上への固定化方法。
【請求項１６】
マスキング剤を基板上に固定化して、生体物質の配向を揃えることにより生体物質を固定化することを特徴とする、請求項１５記載の生体物質の分子アレイの基板上への固定化方法。
【請求項１７】
リンカーが、ＨＳ−（ＣＨ２）６−ＯＰｉ（Ｐｉはリン酸を表す。）で表される物質とＤＮＡ２本鎖とＰｅｐｔｉｄｅ−ＤＮＡ連結分子の３者をつないだものであることを特徴とする請求項１５又は１６記載の生体物質の分子アレイの基板上への固定化方法。
【請求項１８】
ＤＮＡ２本鎖領域に、縫い込み型インターカレータが結合しており、インターカレータは、エチレングリコール部分、ポリオール部分又は糖鎖部分からなる置換基部分を有しており、置換基部分が水と水和するように、ＤＮＡ２本鎖から飛び出していることを特徴とする請求項１７記載の生体物質の分子アレイの基板上への固定化方法。
【請求項１９】
マスキング剤が、ＨＳ（ＣＨ２）１１（ＯＣＨ２ＣＨ２）５ＯＨであることを特徴とする請求項１６〜１８のいずれか１項に記載の生体物質の分子アレイの基板上への固定化方法。
【請求項２０】
生体物質を、分子アレイの基板上に固定化するために用いるリンカーであって、該リンカーがＨＳ（ＣＨ２）１１（ＯＣＨ２ＣＨ２）５ＯＣＨ２ＣＯＯＨであることを特徴とするリンカー。
【請求項２１】
生体物質を、分子アレイの基板上に固定化するために用いるリンカーであって、該リンカーがＨＳ−（ＣＨ２）６−ＯＰｉ（Ｐｉはリン酸を表す。）で表される物質とＤＮＡ２本鎖とＰｅｐｔｉｄｅ−ＤＮＡ連結分子の３者をつないだものであることを特徴とするリンカー。
【手続補正２】
【補正対象書類名】明細書
【補正対象項目名】００２４
【補正方法】変更
【補正の内容】
【００２４】
本発明の第１４の発明は、検体である核酸とDNAプローブを作用させドットブロット法にて分析することを特徴とする請求項１から１３のいずれか１項記載の検体の分析方法である。
本発明の第１５の発明は、生体物質を、分子アレイの基板上にリンカーを介して固定化することを特徴とする生体物質の分子アレイの基板上への固定化方法である。
本発明の第１６の発明は、マスキング剤を基板上に固定化して、生体物質の配向を揃えることにより生体物質を固定化することを特徴とする、請求項１５記載の生体物質の分子アレイの基板上への固定化方法である。
本発明の第１７の発明は、リンカーが、ＨＳ−（ＣＨ２）６−ＯＰｉ（Ｐｉはリン酸を表す。）で表される物質とＤＮＡ２本鎖とＰｅｐｔｉｄｅ−ＤＮＡ連結分子の３者をつないだものであることを特徴とする請求項１５又は１６記載の生体物質の分子アレイの基板上への固定化方法である。
本発明の第１８の発明は、ＤＮＡ２本鎖領域に、縫い込み型インターカレータが結合しており、インターカレータは、エチレングリコール部分、ポリオール部分又は糖鎖部分からなる置換基部分を有しており、置換基部分が水と水和するように、ＤＮＡ２本鎖から飛び出していることを特徴とする請求項１７記載の生体物質の分子アレイの基板上への固定化方法である。
本発明の第１９の発明は、該マスキング剤がＨＳ（ＣＨ２）１１（ＯＣＨ２ＣＨ２）５ＯＨであることを特徴とする請求項１６〜１８のいずれか１項に記載の生体物質の分子アレイの基板上への固定化方法である。
本発明の第２０の発明は、生体物質を、分子アレイの基板上に固定化するために用いるリンカーであって、該リンカーがＨＳ（ＣＨ２）１１（ＯＣＨ２ＣＨ２）５ＯＣＨ２ＣＯＯＨであることを特徴とするリンカーである。
本発明の第２１の発明は、生体物質を、分子アレイの基板上に固定化するために用いるリンカーであって、該リンカーがＨＳ−（ＣＨ２）６−ＯＰｉ（Ｐｉはリン酸を表す。）で表される物質とＤＮＡ２本鎖とＰｅｐｔｉｄｅ−ＤＮＡ連結分子の３者をつないだものであることを特徴とするリンカーである。